(57)【特許請求の範囲】
【請求項１】
ソケット電極をそれぞれ有する多数のランプソケットと、
前記各ランプソケットに挿入されて、前記ソケット電極と接続されるランプ電極を有する多数のランプと、
前記多数のランプを駆動するための駆動電圧を出力するインバータと
前記各ランプソケットに挿入されて、前記駆動電圧が印加される第１バランス電極および前記ソケット電極と接続される第２バランス電極を有する多数のバランスキャパシタが形成されたバランスボードと、
を含むバックライトアッセンブリ。
【請求項２】
前記バランスボードは前記駆動電圧の印加を受けて前記各ランプに均一な駆動電流を提供して、前記駆動電流は前記バランスキャパシタによって前記ランプ電極に提供されることを特徴とする、請求項１に記載のバックライトアッセンブリ。
【請求項３】
前記バランスボードは、本体と、前記本体から延長されて形成され前記各ランプソケットに挿入される多数の突出部を有する絶縁基板とを含み、前記第１バランス電極は前記突出部の第１面上に形成されて、前記第２バランス電極は前記第１面と対向して前記突出部の第２面上に形成されることを特徴とする、請求項１に記載のバックライトアッセンブリ。
【請求項４】
前記各第１バランス電極が互いに接続されることを特徴とする、請求項３に記載のバックライトアッセンブリ。
【請求項５】
前記各第２バランス電極が互いに分離して絶縁されることを特徴とする、請求項３に記載のバックライトアッセンブリ。
【請求項６】
前記バランスボードは前記各第１バランス電極を覆う絶縁フィルムをさらに含むことを特徴とする、請求項３に記載のバックライトアッセンブリ。
【請求項７】
前記バランスボードは、絶縁基板と、前記絶縁基板の一側から突出して形成される多数の誘電体とを含み、前記第１バランス電極は前記誘電体の第１面上に形成されて、前記第２バランス電極は前記第１面と対向して前記誘電体の第２面上に形成されることを特徴とする、請求項１に記載のバックライトアッセンブリ。
【請求項８】
前記バランスボードは、本体と、前記本体から延長されて形成され前記各ランプソケットに挿入される多数の突出部を有する絶縁基板とを含み、前記第１バランス電極は前記突出部の内部に形成されて、前記第２バランス電極は前記突出部の外部に形成されることを特徴とする、請求項１に記載のバックライトアッセンブリ。
【請求項９】
前記バランスキャパシタがシリンダー型キャパシタであることを特徴とする、請求項８に記載のバックライトアッセンブリ。
【請求項１０】
前記各ランプソケットが前記ランプソケット内部に挿入された前記バランスボードを支持する支持部材をさらに含むことを特徴とする、請求項１に記載のバックライトアッセンブリ。
【請求項１１】
前記支持部材が前記ランプソケット内部の前記ソケット電極と対向して具備されて前記バランスキャパシタが前記ソケット電極と前記支持部材の間に挿入され、前記支持部材は前記ソケット電極の方向に前記バランスキャパシタに圧力を加えることを特徴とする、請求項１０に記載のバックライトアッセンブリ。
【請求項１２】
液晶パネル、および
ソケット電極をそれぞれ有する多数のランプソケットと、前記各ランプソケットに挿入されて、前記ソケット電極と接続されるランプ電極を有する多数のランプと、前記多数のランプを駆動するための駆動電圧を出力するインバータと、前記各ランプソケットに挿入されて、前記駆動電圧が印加される第１バランス電極および前記ソケット電極と接続される第２バランス電極を有する多数のバランスキャパシタが形成されたバランスボードと、を含むバックライトアッセンブリを含む液晶表示装置。
【請求項１３】
前記バランスボードは前記駆動電圧の印加を受けて前記各ランプに均一な駆動電流を提供して、前記駆動電流は前記バランスキャパシタによって前記ランプ電極に提供されることを特徴とする、請求項１２に記載の液晶表示装置。
【請求項１４】
前記バランスボードは、本体と、前記本体から延長されて形成され前記各ランプソケットに挿入される多数の突出部を有する絶縁基板とを含み、前記第１バランス電極は前記突出部の第１面上に形成されて、前記第２バランス電極は前記第１面と対向して前記突出部の第２面上に形成されることを特徴とする、請求項１２に記載の液晶表示装置。
【請求項１５】
前記各第１バランス電極が互いに接続されることを特徴とする、請求項１４に記載の液晶表示装置。
【請求項１６】
前記各第２バランス電極が互いに分離して絶縁されることを特徴とする、請求項１４に記載の液晶表示装置。
【請求項１７】
前記バランスボードは前記各第１バランス電極を覆う絶縁フィルムをさらに含むことを特徴とする、請求項１４に記載の液晶表示装置。
【請求項１８】
前記バランスボードは、絶縁基板と、前記絶縁基板の一側から突出して形成された多数の誘電体とを含み、前記第１バランス電極は前記誘電体の第１面上に形成されて、前記第２バランス電極は前記第１面と対向して前記誘電体の第２面上に形成されることを特徴とする、請求項１２に記載の液晶表示装置。
【請求項１９】
前記バランスボードは、本体と、前記本体から延長されて形成され前記各ランプソケットに挿入される多数の突出部を有する絶縁基板とを含み、前記第１バランス電極は前記突出部の内部に形成されて、前記第２バランス電極は前記突出部の外部に形成されることを特徴とする、請求項１２に記載の液晶表示装置。
【請求項２０】
前記バランスキャパシタはシリンダー形状であることを特徴とする、請求項１９に記載の液晶表示装置。
【請求項２１】
前記各ランプソケットは、前記ランプソケット内部に挿入された前記バランスボードを支持する支持部材をさらに含むことを特徴とする、請求項１２に記載の液晶表示装置。
【請求項２２】
前記支持部材が前記ランプソケット内部の前記ソケット電極と対向して具備されて前記バランスキャパシタが前記ソケット電極と前記支持部材の間に挿入され、前記支持部材は前記ソケット電極の方向に前記バランスキャパシタに圧力を加えることを特徴とする、請求項２１に記載の液晶表示装置。
【発明の詳細な説明】
【技術分野】
【０００１】
本発明はバックライトアッセンブリおよびこれを含む液晶表示装置に関するものである。
【背景技術】
【０００２】
液晶表示装置（Ｌｉｑｕｉｄ  Ｃｒｙｓｔａｌ  Ｄｉｓｐｌａｙ：ＬＣＤ）は、現在最も広く使用されているフラットパネル表示装置（Ｆｌａｔ  Ｐａｎｅｌ  Ｄｉｓｐｌａｙ：ＦＰＤ）のうちの一つであって、電極が形成されている２枚の基板とその間に挿入されている液晶層とで形成されて、電極に電圧を印加して液晶層の液晶分子を再配列させることによって液晶層を透過する光の量を調節する表示装置である。このような液晶表示装置は自発光装置ではないため、光を提供するバックライトアッセンブリを必要とする。
【０００３】
バックライトアッセンブリは、多数のランプに均一な電流を提供するために、バランスキャパシタが形成されたバランスボードを利用する。
【先行技術文献】
【特許文献】
【０００４】
【特許文献１】韓国公開特許第２００７−０７６２５７号公報
【発明の概要】
【発明が解決しようとする課題】
【０００５】
バランスボードにバランスキャパシタを形成する場合に、バランスボードのサイズが増加し、これによってバックライトアッセンブリおよびこれを含む液晶表示装置の生産費用が増加することがある。
【０００６】
本発明が解決しようとする課題は、生産費用を減らすことのできるバックライトアッセンブリを提供することである。
【０００７】
また、本発明が解決しようとする他の技術的課題は、生産費用を減らすことのできる液晶表示装置を提供することである。
【０００８】
本発明の技術的課題は、以上で言及した技術的課題に制限されず、言及されていない他の技術的課題は、次の記載から当業者に明確に理解できるであろう。
【課題を解決するための手段】
【０００９】
前記技術的課題を達成するための本発明の一形態によるバックライトアッセンブリは、ソケット電極をそれぞれ有する多数のランプソケットと、各ランプソケットに挿入されて、ソケット電極と接続されるランプ電極を有する多数のランプと、多数のランプを駆動するための駆動電圧を出力するインバータと、各ランプソケットに挿入されて、駆動電圧が印加される第１バランス電極およびソケット電極と接続される第２バランス電極を有する多数のバランスキャパシタが形成されたバランスボードと、を含む。
【００１０】
前記他の技術的課題を達成するための本発明の一形態による液晶表示装置は、液晶パネル、およびバックライトアッセンブリを含む。バックライトアッセンブリは、ソケット電極をそれぞれ有する多数のランプソケットと、各ランプソケットに挿入されて、ソケット電極と接続されるランプ電極を有する多数のランプと、多数のランプを駆動するための駆動電圧を出力するインバータと、各ランプソケットに挿入されて、駆動電圧が印加される第１バランス電極およびソケット電極と接続される第２バランス電極を有する多数のバランスキャパシタが形成されたバランスボードと、を含む。
【００１１】
本発明のその他具体的な内容は、詳細な説明および図に含まれている。
【発明の効果】
【００１２】
前述した通り、本発明によるバックライトアッセンブリおよびこれを含む液晶表示装置によれば、バランスボードのサイズが減り、これにより液晶表示装置の生産費用を減らすことができる。
【図面の簡単な説明】
【００１３】
【図１】本発明の第一の実施形態によるバックライトアッセンブリおよびこれを含む液晶表示装置を説明するための液晶表示装置の分解斜視図である。
【図２Ａ】図１のバランスボードを説明するための平面図である。
【図２Ｂ】図１のバランスボードを説明するための平面図である。
【図２Ｃ】図１のバランスボードを説明するための平面図である。
【図３】ランプとバランスボードの接続関係を説明するための斜視図である。
【図４】図３のＡＡ’線に沿って切断したランプソケットの断面図である。
【図５】バランスキャパシタの機能を説明するための回路図である。
【図６Ａ】本発明の第二の実施形態によるバックライトアッセンブリおよびこれを含む液晶表示装置を説明するためのランプソケットの断面図である。
【図６Ｂ】本発明の第二の実施形態によるバックライトアッセンブリおよびこれを含む液晶表示装置を説明するためのランプソケットの断面図である。
【図７】本発明の第三の実施形態によるバックライトアッセンブリおよびこれを含む液晶表示装置を説明するためのランプソケットの断面図である。
【図８Ａ】本発明の第四の実施形態によるバックライトアッセンブリおよびこれを含む液晶表示装置を説明するためのバランスボードの斜視図である。
【図８Ｂ】図８ＡのＳ１方向からみたバランスボードの断面図である。
【図９Ａ】本発明の第五の実施形態によるバックライトアッセンブリおよびこれを含む液晶表示装置を説明するためのバランスボードの斜視図である。
【図９Ｂ】図９ＡのＢＢ’線に沿って切断した断面図である。
【図１０Ａ】本発明の第六の実施形態によるバックライトアッセンブリおよびこれを含む液晶表示装置を説明するためのバランスボードの斜視図である。
【図１０Ｂ】図１０ＡのＣＣ’線に沿って切断した断面図である。
【図１１】ランプソケットの断面図である。
【発明を実施するための形態】
【００１４】
本発明の利点および特徴、そしてそれらを達成する方法は、図面と共に詳細に後述されている実施形態を参照すれば明確になるであろう。しかし、本発明は以下で開示される実施形態に限定されるものではなく、互いに異なる多様な形態で実現されるものであり、単に本実施形態は本発明の開示を完全なものにし、本発明が属する技術分野で通常の知識を有する者に発明の範疇を完全に知らせるために提供されるものであり、本発明は請求項の範囲によってのみ定義される。したがって、いくつかの実施形態において、公知の工程段階、公知の素子構造および公知の技術は、本発明が曖昧に解釈されることを避けるために具体的に説明しない。明細書全体において、同一参照符号は同一構成要素を指称する。
【００１５】
素子（ｅｌｅｍｅｎｔｓ）または層が、異なる素子または層の「上（ｏｎ）」と指称されるものは、他の素子あるいは層の真上だけでなく、中間に他の層または他の素子を介在した場合をすべて含む。一つの素子が他の素子と「接続された（ｃｏｎｎｅｃｔｅｄ  ｔｏ）」または「カップリングされた（ｃｏｕｐｌｅｄ  ｔｏ）」と指称されるものは、他の素子と直接接続またはカップリングされた場合または中間に他の素子を介在した場合をすべて含む。これに対し、一つの素子が他の素子と「直接上（ｄｉｒｅｃｔｌｙ  ｏｎ）」、「直接接続された（ｄｉｒｅｃｔｌｙ  ｃｏｎｎｅｃｔｅｄ  ｔｏ）」または「直接カップリングされた（ｄｉｒｅｃｔｌｙ  ｃｏｕｐｌｅｄ  ｔｏ）」と指称されるものは中間に他の素子または層を介在しないものを示す。明細書全体において、同一参照符号は同一構成要素を指す。「および／または」は、言及されたアイテムの各々および一つ以上のすべての組合せを含む。
【００１６】
たとえ第１、第２等が多様な素子、構成要素、領域、配線、層およびセクションを叙述するために使用されても、当然のことながらこれらの素子、構成要素、領域、配線、層およびセクションはこれらの用語によって制限されない。これらの用語は単に一つの素子、構成要素、領域、配線、層またはセクションを他の素子、構成要素、領域、配線、層またはセクションと区別するために使用するものである。したがって、以下で言及される第１素子、第１構成要素、第１領域、第１配線、第１階または第１セクションは本発明の技術的思想内で第２素子、第２構成要素、第２領域、第２配線、第２階または第２セクションであってもよい。
【００１７】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは、図面に示されているように、一つの素子または構成要素と異なる素子または構成要素との相関関係を容易に記述するために使用されてもよい。空間的に相対的な用語は、図面に示されている方向に加えて、使用時または動作時における素子の互いに異なる方向を含む用語として理解されなければならない。例えば、図面に図示されている素子を覆す場合に、他の素子の「下（ｂｅｌｏｗ）」または「下（ｂｅｎｅａｔｈ）」と記述されている素子は、他の素子の「上（ａｂｏｖｅ）」に置かれ得る。したがって、例示的な用語である「下」は、下と上の方向をすべて含み得る。素子が他の方向に配向された場合も、これにより空間的に相対的な用語は配向に応じて解釈することができる。
【００１８】
本明細書で使用される用語は実施形態を説明するためのものであり、本発明を制限しようとするものではない。本明細書で、単数形は文言に特別に言及しない限り複数形も含む。本明細書において「含む（ｃｏｍｐｒｉｓｅｓ）」または「含む（ｃｏｍｐｒｉｓｉｎｇ）」を使用した場合は、言及された構成要素、段階、動作および素子は、一つ以上の他の構成要素、段階、動作および／または素子の存在または追加を排除するものではない。
【００１９】
本明細書で記述する実施形態は、本発明の理想的な実施形態の概略的な断面図を参考にして説明する。したがって、製造技術または許容誤差などによって、例示図の形態は変形されてもよい。したがって、本発明の実施形態は、図示された特定形態に制限されるものではなく、製造工程によって生成される形態の変化も含むものである。例えば、直角に図示されたエッチング領域は、ラウンドの形態や、所定曲率を有する形態であってもよい。したがって、図面に例示された領域は概略的な属性を有し、図面に例示された領域の形態は素子の領域の特定形態を例示するためのものであり、発明の範疇を制限するためのものではない。
【００２０】
図１ないし図５を参照して、本発明の第一の実施形態によるバックライトアッセンブリおよびこれを含む液晶表示装置について、説明する。
【００２１】
図１は、本発明の第一の実施形態によるバックライトアッセンブリおよびこれを含む液晶表示装置を説明するための液晶表示装置の分解斜視図である。図２Ａないし図２Ｃは、図１のバランスボードを説明するための平面図である。図３は、ランプとバランスボードの接続関係を説明するための斜視図である。図４は、図３のＡＡ’線に沿って切断したランプソケットの断面図である。図５は、バランスキャパシタの機能を説明するための回路図である。
【００２２】
図１を参照すると、本発明の第一の実施形態による液晶表示装置１０は、液晶パネルアッセンブリ１００、バックライトアッセンブリ２００、トップシャーシ４５０およびボトムシャーシ４００を含む。
【００２３】
液晶パネルアッセンブリ１００は、液晶パネル１２０、１３０と、印刷回路基板１１０と、ドライバーＩＣ１４０とで構成される。
【００２４】
印刷回路基板１１０は、ドライバーＩＣ１４０にデータ信号およびゲート信号を提供する様々な回路部品（未図示）が実装される。
【００２５】
液晶パネル１２０、１３０は、ドライバーＩＣ１４０によって制御されて映像を表示する。
【００２６】
バックライトアッセンブリ２００は、液晶パネル１２０、１３０の下に位置して液晶パネルに光を提供する。このようなバックライトアッセンブリ２００は、多数のランプ２１０、多数のランプソケット２６０、２６０’、インバータ２８０、バランスボード３１０、拡散板２２０、光学シート２３０および反射板２４０を含む。
【００２７】
ランプ２１０は、ＬＥＤ（Ｌｉｇｈｔ  Ｅｍｉｔｔｅｄ  Ｄｉｏｄｅ）、ＣＣＦＬ（Ｃｏｌｄ  Ｃａｔｈｏｄｅ  Ｆｌｕｏｒｅｓｃｅｎｔ  Ｌａｍｐ）、およびＥＥＦＬ（Ｅｘｔｅｒｎａｌ  Ｅｌｅｃｔｒｏｄｅ  Ｆｌｕｏｒｅｓｃｅｎｔ  Ｌａｍｐ）であってもよい。このような各ランプ２１０は、インバータ２８０から均一な駆動電流の提供を受けて光を発光する。また、ランプ２１０は、互いにあらかじめ定められた均一な距離に離隔され同一平面上に平行に配置されて直下型の構成としてもよい。均一な輝度を得るために、ランプ２１０は、ボトムシャーシ４００の長辺に平行になるように配列してもよい。本実施形態のランプ２１０は、ＣＣＦＬに限定されるものではないが、説明の便宜上、ＣＣＦＬを例にあげて説明する。
【００２８】
拡散板２２０は、ランプ２１０の上に位置し、ランプ２１０から入射される光の輝度および輝度均一性を向上させる役割をする。
【００２９】
光学シート２３０は、拡散板２２０の上に配置されて、ランプ２１０から伝達される光を拡散して集光する役割をする。光学シート２３０は、拡散シート（ｄｉｆｆｕｓｉｏｎ  ｓｈｅｅｔ）、第１プリズムシート、および第２プリズムシートなどを含む。プリズムシートは、拡散シートの上に位置し、第１プリズムシートの一面には、拡散シートから拡散された光を集光して出射するための三角柱の形状をしたプリズムパターン（未図示）を、一定の配列で形成してもよい。第２プリズムシートは、第１プリズムシートの上に位置して、光を集光および偏光して出射する、多層構造の反射型偏光プリズムシートとしてもよい。ただし、第１プリズムシートのみでも輝度および視野角を十分に確保できる場合、第２プリズムシートは除外してもよい。
【００３０】
反射板２４０は、ランプ２１０の下に配置されて、ランプ２１０から下部に放出される光を、液晶パネルアッセンブリ１００に向かって上方に反射する。このような反射板２４０は、ランプ２１０から出射された光の損失を最小化するために反射度が高い物質で構成される。
【００３１】
多数のランプソケット２６０、２６０’は、固定プレート２５０、２５０’に固定および整列させて、ボトムシャーシ４００のソケット挿入口４１０に固定させてもよい。ここで多数のランプソケット２６０、２６０’と固定プレート２５０、２５０’は、一体型としてもよく、固定プレート２５０、２５０’は省略してもよい。
【００３２】
バランスボード３１０は、コネクタ２７０を通じてインバータ２８０と接続され、インバータ２８０から駆動電圧の印加を受けて各ランプ２１０に、均一な駆動電流を提供する。このようなバランスボード３１０は、図１に示した通り、いくつかのランプソケット２６０と接続してもよく、他のランプソケット２６０’は、インバータ２８０のグラウンド端子と接続されてもよい。
【００３３】
ここで図２Ａないし図２Ｃをさらに参照して、バランスボード３１０についてさらに具体的に説明する。図２Ａはバランスボード３１０を上面からみた平面図であり、図２Ｂはバランスボード３１０を背面からみた平面図であり、図２Ｃはバランスボード３１０を側面からみた平面図である。
【００３４】
バランスボード３１０は、本体３１２と、本体３１２から延長されて形成され、各ランプソケット２６０に挿入される多数の突出部３１４を有する絶縁基板と、突出部３１４の第１面の上に形成される第１バランス電極３１６と、第１面と対向して突出部３１４の第２面の上に形成される第２バランス電極３１８とを含む。ここで、第１バランス電極３１６、突出部３１４、および第２バランス電極３１８が、バランスキャパシタＢＣを構成する。すなわち、第１および第２バランス電極３１６、３１８の間の突出部３１４が、誘電体の機能をする。突出部３１４は、前述した通り、本体３１２と一体で絶縁基板を形成してもよい。
【００３５】
多数の第１バランス電極３１６は、互いに接続されて、コネクタ２７０を通じてインバータ２８０から提供される駆動電圧が印加される。多数の第２バランス電極３１８は、互いに分離して絶縁される。
【００３６】
このようなバランスボード３１０およびランプ２１０は、図３に示した通り、ランプソケット２６０の第１挿入口Ｉ１および第２挿入口Ｉ２に各々挿入される。さらに具体的には、第１挿入口Ｉ１に絶縁基板の突出部３１４が各々挿入される。すなわち、バランスキャパシタＢＣがランプソケット２６０に各々挿入される。
【００３７】
図３および図４を参照して、ランプソケット２６０とバランスボード３１０の接続関係を、具体的に説明する。説明の便宜上、図１における、ランプソケット２６０とバランスボード３１０のうち一つのみを示し、図３は、図１とは異なった方向から見た場合の斜視図を示した。
【００３８】
ランプソケット２６０は、第１ハウジング２６４、第２ハウジング２６５、第３ハウジング２６６、およびソケット電極２６７を含む。第１ハウジング２６４には第１挿入口Ｉ１が形成され、第２ハウジング２６５には第２挿入口Ｉ２が形成され、第３ハウジング２６６はランプソケット２６０内部に具備されてソケット電極２６７を支持してもよい。第１および第２ハウジング２６４、２６６は、バランスボード３１０、ボトムシャーシ４００、および反射板２４０を支持するために段差を形成してもよい。ソケット電極２６７の一端は、ランプ電極２１２と接続され、ソケット電極２６７の他端は、バランスキャパシタＢＣの第２バランス電極３１８と接続する。ここでソケット電極２６７は、バランスキャパシタＢＣの第１バランス電極３１６と接続されない。すなわち、バランスボード３１０は、インバータ２８０から駆動電圧の印加を受けて駆動電流をランプ２１０に提供する。ここで駆動電流は、バランスキャパシタＢＣおよびソケット電極２６７を通じてランプ２１０に提供される。
【００３９】
図５を参照して、バランスキャパシタＢＣの機能について説明する。
【００４０】
図５を参照すると、インバータ２８０、バランスキャパシタＢＣ＿１、ＢＣ＿２、およびランプ２１０＿１、２１０＿２が、等価回路で示されている。インバータ２８０は、等価的に交流の駆動電圧Ｖｓを出力する電源として見てもよく、バランスキャパシタＢＣ＿１、ＢＣ＿２は、キャパシタＣ＿１、Ｃ＿２として見てもよく、ランプ２１０＿１、２１０＿２は、抵抗Ｒ１、Ｒ２として見てもよい。駆動電圧Ｖｓが交流であるため、バランスキャパシタＢＣ＿１、ＢＣ＿２およびランプ２１０は、インピーダンス（ｉｍｐｅｄａｎｃｅ）のように動作する。ここでバランスキャパシタＢＣ＿１、ＢＣ＿２のキャパシタンスが小さく、そのインピーダンス値が十分に大きくなると、各ランプ２１０の抵抗Ｒ１、Ｒ２値が互いに異なっても、各ランプ２１０に流れる電流は均一となる。
【００４１】
このようなバランスキャパシタＢＣが、前述した通り、ランプソケット２６０内部に挿入されるため、バランスボード３１０のサイズを減らすことができる。すなわち、突出部３１４にバランスキャパシタＢＣが形成されるため、本体３１２のサイズを減らすことができる。バランスボード３１０のサイズを減らすことによって、液晶表示装置１０の生産費用を減らすことができる。
【００４２】
一方、図１のボトムシャーシ４００は、このようなランプ２１０、拡散板２２０、光学シート２３０、および反射板２４０を受容する役割をする。図１におけるトップシャーシ４５０は、液晶パネル１２０および１３０の上から、ボトムシャーシ４００と結合する。
【００４３】
次に図６Ａおよび図６Ｂを参照して、本発明の第二の実施形態によるバックライトアッセンブリおよびこれを含む液晶表示装置を説明する。図６Ａおよび図６Ｂは、本発明の第二の実施形態によるバックライトアッセンブリおよびこれを含む液晶表示装置を説明するためのランプソケットの断面図である。図４に示された構成要素と同一の機能を有する構成要素に対しては、同一の図面符号を使用し、説明の便宜上、該当構成要素についての詳細な説明は省略する。
【００４４】
図６Ａを参照すると、ランプソケット２６１はランプソケット２６１内部に支持部材ＳＭを含む。例えば支持部材ＳＭはソケット電極２６７に対向して具備され、ソケット電極２６７方向に弾性を有してもよい。すなわち、支持部材ＳＭは、図６Ａに示した通り、ｚ軸（ｚ−ａｘｉｓ）方向に動かしてもよい。
【００４５】
図６Ｂを参照すると、バランスボード３１０がランプソケット２６１に挿入されれば、支持部材ＳＭはｚ軸（ｚ−ａｘｉｓ）の上方向に収縮し、ｚ軸（ｚ−ａｘｉｓ）の下方向に弾性による圧力を加えることができる。したがって、バランスボード３１０がランプソケット２６１から離脱することを防止し、ソケット電極２６７と第２バランス電極３１８の接触不良を防止することができる。ただし、支持部材ＳＭは、図６Ａおよび図６Ｂに示されたような形状に制限されない。また、支持部材ＳＭは弾性によらず、他の様々な物理的な力を利用してバランスボード３１０を支持してもよく、機械的な結合手段によってバランスボード３１０を支持してもよい。また、支持部材ＳＭは絶縁物質でもよい。
【００４６】
次に、図７を参照して、本発明の第三の実施形態によるバックライトアッセンブリおよびこれを含む液晶表示装置を説明する。図７は、本発明の第三の実施形態によるバックライトアッセンブリおよびこれを含む液晶表示装置を説明するためのランプソケットの断面図である。
【００４７】
図７を参照すると、バランスボード３１１は第１バランス電極３１６を覆う絶縁フィルム３１９をさらに含む。したがって、ランプソケット２６２のソケット電極２６８が図７に図示されたような形状の場合でも、第１バランス電極３１６と第２バランス電極３１８がリーク（ｓｈｏｒｔ）しないようになる。このときソケット電極２６８はその弾性によってバランスボード３１１を支持および固定してもよい。
【００４８】
次に図８Ａおよび図８Ｂを参照して、本発明の第四の実施形態によるバックライトアッセンブリおよびこれを含む液晶表示装置を説明する。図８Ａは、本発明の第四の実施形態によるバックライトアッセンブリおよびこれを含む液晶表示装置を説明するためのバランスボードの斜視図であり、図８Ｂは、図８ＡのＳ１方向からみたバランスボードの断面図である。図４、図６Ａおよび図６Ｂに図示された構成要素と同一の機能をする構成要素に対しては、同一の図面符号を使用し、説明の便宜上、該当構成要素についての詳細な説明は省略する。
【００４９】
図８Ａおよび図８Ｂを参照すると、本体３２２および突出部３２４の内部に第１バランス電極３２６が実装され、第２バランス電極３２８が突出部３２４の外部に形成される。したがって、バランスキャパシタＢＣはシリンダー型となる。このようなバランスキャパシタＢＣがランプソケット２６０に挿入されるため、バランスボード３２０のサイズが減って、これによって液晶表示装置の生産費用が減る。
【００５０】
図９Ａおよび図９Ｂを参照して、本発明の第五の実施形態によるバックライトアッセンブリおよびこれを含む液晶表示装置を説明する。図９Ａは、本発明の第五の実施形態によるバックライトアッセンブリおよびこれを含む液晶表示装置を説明するためのバランスボードの斜視図であり、図９Ｂは、図９ＡのＢＢ’線に沿って切断した断面図である。
【００５１】
バランスボード３３０は絶縁基板である本体３１２と、本体３１２の一側から突出して形成された誘電体３３４を含み、第１バランス電極３１６は誘電体３３４の第１面上に形成され、第２バランス電極３１８は第１面に対向して誘電体３３４の第２面上に形成される。ここで誘電体３３４は製造者が望む誘電常数を有する物質としてもよい。すなわち、製造者はランプ２１０の抵抗値に応じて必要な値のキャパシタンスを有するバランスキャパシタＢＣを形成してもよい。
【００５２】
図１０Ａないし図１１を参照して、本発明の第六の実施形態によるバックライトアッセンブリおよびこれを含む液晶表示装置を説明する。図１０Ａは、本発明の第六の実施形態によるバックライトアッセンブリおよびこれを含む液晶表示装置を説明するためのバランスボードの斜視図であり、図１０Ｂは、図１０ＡのＣＣ’線に沿って切断した断面図であり、図１１は、ランプソケットの断面図である。
【００５３】
図１０Ａおよび図１０Ｂを参照すると、バランスボード３４０の第２バランス電極３４８は突出部３４４の側面上に形成され、第１バランス電極３４６は本体３４２上から延長され第２バランス電極３４８と対向するように折曲して、突出部３４４内部に実装される。したがって、突出部３４４の側面上に形成された第２バランス電極３４８と、突出部３４４内部に実装された第１バランス電極３４６とがバランスキャパシタＢＣを形成する。
【００５４】
図１１を参照すると、ソケット電極２６９は突出部３４４の側面上に形成された第２バランス電極３４８と接続するように形成される。このようにバランスキャパシタＢＣが、ランプソケット２６３に挿入されるため、バランスボード３４０のサイズが減って、これによって液晶表示装置の生産費用が減る。
【００５５】
以上添付された図面を参照して本発明の実施形態を説明したが、本発明が属する技術分野で通常の知識を有する者は本発明がその技術的思想や必須の特徴を変更せず、他の具体的な形態で実施されうることを理解できるであろう。したがって、以上で記述した実施形態はすべての面で例示的なものであり、限定的ではないものとして理解しなければならない。
【産業上の利用可能性】
【００５６】
本発明はバックライトアッセンブリおよびこれを含む液晶表示装置に適用されうる。
【符号の説明】
【００５７】
１０    液晶表示装置、
１００    液晶パネルアッセンブリ、
２００    バックライトアッセンブリ、
２１０    ランプ、
２２０    拡散板、
２３０    光学シート、
２４０    反射板、
２５０    固定プレート、
２６０    ランプソケット、
２７０    コネクタ、
２８０    インバータ、
３１０    バランスボード、
３１２    本体、
３１４    突出部、
３１６    第１バランス電極、
３１８    第２バランス電極、
ＢＣ    バランスキャパシタ。
【図２Ａ】
0005281939.tif 000002
【図２Ｂ】
0005281939.tif 000003
【図２Ｃ】
0005281939.tif 000004
【図４】
0005281939.tif 000005
【図５】
0005281939.tif 000006
【図６Ａ】
0005281939.tif 000007
【図６Ｂ】
0005281939.tif 000008
【図７】
0005281939.tif 000009
【図８Ａ】
0005281939.tif 000010
【図８Ｂ】
0005281939.tif 000011
【図９Ａ】
0005281939.tif 000012
【図９Ｂ】
0005281939.tif 000013
【図１０Ａ】
0005281939.tif 000014
【図１０Ｂ】
0005281939.tif 000015
【図１１】
0005281939.tif 000016
【図１】
0005281939.tif 000017
【図３】
0005281939.tif 000018